(57)【要約】【課題】画面に対して入力を行う入力デバイスによる操作量を減らして、ユーザの操作性を高める。【解決手段】ユーザが表示パネルの画面を入力デバイスで触れると、表示装置は、入力デバイスと通信を行って、入力デバイスからデバイス情報を取得する。表示装置は、デバイス情報に基づいて、使用する入力デバイスを識別する。表示装置は、登録済みの入力デバイスであることを確認すると、この入力デバイスに対応するユーザインターフェースを再構成する。表示パネルの画面に、使用中の入力デバイスに対応したユーザインターフェースが表示される。【選択図】図２
2009193454.tif 000002
【特許請求の範囲】
【請求項１】
画面に画像を表示する表示装置と、画面に対する入力を行う入力デバイスとから構成され、表示装置は、入力デバイスを検出するデバイス検出部と、入力デバイスに応じたユーザインターフェースを画面に表示させる制御部とを備え、制御部は、使用する入力デバイスを識別して、この入力デバイスに応じてユーザインターフェースを表示させることを特徴とする表示システム。
【請求項２】
入力デバイスは、表示装置と通信可能とされ、デバイス検出部は、入力デバイスとの通信により使用する入力デバイスを検出することを特徴とする請求項１記載の表示システム。
【請求項３】
入力デバイスに関連するユーザインターフェース情報を管理するサーバが表示装置と通信可能に設けられ、表示装置の制御部は、入力デバイスに対するユーザインターフェース情報をサーバから取得して、ユーザインターフェース情報に基づきユーザインターフェースを表示させることを特徴とする請求項１または２記載の表示システム。
【請求項４】
表示装置は、入力デバイスに関連するユーザインターフェース情報を記憶しており、制御部は、識別した入力デバイスを確認して、登録されている入力デバイスの場合、ユーザインターフェースを表示させることを特徴とする請求項１または２記載の表示システム。
【請求項５】
制御部は、新規の入力デバイスの登録を受け付けることを特徴とする請求項４記載の表示システム。
【請求項６】
制御部は、入力デバイスを識別できないとき、デフォルトのユーザインターフェースを表示させることを特徴とする請求項２記載の表示システム。
【請求項７】
入力デバイスによる画面へのアクセスがあったとき、制御部は、ユーザインターフェースを表示させることを特徴とする請求項２記載の表示システム。
【請求項８】
制御部は、ユーザ毎にユーザインターフェースを変更することを特徴とする請求項２記載の表示システム。
【請求項９】
制御部は、複数の入力デバイスに対するユーザインターフェースを表示させることを特徴とする請求項２記載の表示システム。
【請求項１０】
制御部は、入力デバイスが制限数を超えたとき、入力デバイスに対するユーザインターフェースの表示を規制することを特徴とする請求項９記載の表示システム。
【発明の詳細な説明】
【技術分野】
【０００１】
本発明は、タッチペン等の入力デバイスによる入力操作可能な画面を有する表示システムに関する。
【背景技術】
【０００２】
入力デバイスの入力操作に応じてコンピュータの画面にメニュ等のユーザインターフェースが表示される。例えば特許文献１に、グラフィカルユーザインターフェース（ＧＵＩ）について記載されている。
【０００３】
このＧＵＩは、Ｍｉｃｒｏｓｏｆｔ社のＷｉｎｄｏｗｓシステム（ＷｉｎｄｏｗｓはＭｉｃｒｏｓｏｆｔ社の登録商標）やＸＯｐｅｎリミテッドのＸＷｉｎｄｏｗシステム（Ｘ Ｗｉｎｄｏｗは、Ｘ Ｏｐｅｎリミテッドの登録商標）等のオペレーティングシステムや種々のウィンドウ化されたアプリケーションプログラムで提供されている。
【０００４】
例えば、ユーザが、デスクトップ上あるいはアプリケーションプログラムのウィンドウ内の何もない領域または特定の操作可能なオブジェクト上のような何もない領域／オブジェクト上で、マウスを右クリックすると、そのカーソルの位置にポップアップメニューが表示される。
【０００５】
ここで、「何もない領域」とは、デスクトップ上またはウィンドウ上において、アイコン、メニュ、ボタン、スクロールバー等の起動可能または操作可能なオブジェクトのない領域のことをいう。「操作可能なオブジェクト」とは、デスクトップ上または特定のアプリケーションプログラムのウィンドウ上の操作可能なオブジェクトをいい、アイコン、メニュ、ボタン、スクロールバー等を含むものである。
【０００６】
ユーザがマウスまたはキーボードのスクロールキーを操作すると、カーソルがメニュ内の項目まで移動する。ユーザがマウスを左クリックすると、当該項目に対応したコマンドが実行される。したがって、ユーザはキーボードからコマンドを入力する必要はなく、当該コマンドを知らなくても、簡単な操作で入力できる。そのため、このＧＵＩはウィンドウ化された環境で幅広く提供されている。
【特許文献１】特開２０００−２３１４３２号公報
【発明の開示】
【発明が解決しようとする課題】
【０００７】
ところで、画面にユーザインターフェースを表示する表示装置では、ディスプレイの表面にタッチパネルを備えている。ユーザが、タッチパネル上にタッチペンや指示棒といった入力デバイスで操作を行うと、その入力操作に応じた処理が行われる。例えば画像が描かれたときには、入力された画像が画面に表示される。
【０００８】
入力デバイスの操作により、画面にはユーザインターフェースが表示される。このとき、入力デバイスの種類に関係なく、一般的な項目が並んだユーザインターフェースが表示される。ユーザは、所望の項目を選んで操作しなければならない。そこで、上記の特許文献１には、入力デバイスの操作を少なくできるように、入力デバイスの操作回数に応じてメニュの項目を切り替えて表示することが記載されている。
【０００９】
しかし、入力デバイスには、タッチペン、指示棒、マウス、タッチパッドのように多くの種類がある。各入力デバイスによる操作内容は多様であり、よく使われる項目が異なる。そのため、入力デバイスを使用するユーザの操作は依然として、煩雑なままである。
【００１０】
本発明は、上記に鑑み、ユーザの操作量を少なくできるようなユーザインターフェースを表示させることにより、入力デバイスを使用するユーザの操作性を高めることができる表示システムの提供を目的とする。
【課題を解決するための手段】
【００１１】
本発明は、画面に画像を表示する表示装置と、画面に対する入力を行う入力デバイスとから構成され、表示装置は、入力デバイスを検出するデバイス検出部と、入力デバイスに応じたユーザインターフェースを画面に表示させる制御部とを備えたものである。そして、制御部は、使用する入力デバイスを識別して、この入力デバイスに応じてユーザインターフェースを表示させる。
【００１２】
ユーザの使用する入力デバイスが検出されると、この入力デバイスに対応するユーザインターフェースが表示される。入力デバイスの種類によって、操作内容が異なるため、ユーザインターフェースも異なる。このように、使用中の入力デバイスに応じたユーザインターフェースを利用することができるので、不要な項目は表示されず、ユーザの入力操作は容易となる。
【００１３】
入力デバイスは、表示装置と通信可能とされ、デバイス検出部は、入力デバイスとの通信により使用する入力デバイスを検出する。入力デバイスと直接通信することにより、制御部は、間違いなく入力デバイスを識別することができる。
【００１４】
表示装置は、入力デバイスに関連するユーザインターフェース情報を記憶しており、制御部は、識別した入力デバイスを確認して、登録されている入力デバイスの場合、ユーザインターフェースを表示させる。すなわち、表示装置は、ユーザインターフェース情報を管理する。登録されていない入力デバイスを検出したとき、制御部は、入力デバイスを識別できないので、デフォルトのユーザインターフェースを表示させる。
【００１５】
ここで、表示装置がユーザインターフェース情報を管理する代わりに、入力デバイスに関連するユーザインターフェース情報を管理するサーバが表示装置と通信可能に設けられる。表示装置の制御部は、入力デバイスに対するユーザインターフェース情報をサーバから取得して、ユーザインターフェース情報に基づきユーザインターフェースを表示させる。
【００１６】
サーバが、複数の入力デバイスに対するユーザインターフェース情報を一元的に管理する。表示装置は、必要なときにサーバからユーザインターフェース情報を取得する。そのため、複数の表示装置において、同じ種類の入力デバイスを使用するとき、各表示装置において、同じユーザインターフェースが表示される。これによって、ユーザは、異なる表示装置であっても、戸惑うことなく、入力デバイスによる入力操作を行える。
【００１７】
制御部は、新規の入力デバイスの登録を受け付ける。新規の入力デバイスの場合、登録することにより、この入力デバイスが使用されるときに、ユーザインターフェースを表示することができる。
【００１８】
入力デバイスによる画面へのアクセスがあったとき、制御部は、ユーザインターフェースを表示させる。デバイス検出部は、入力デバイスが画面に触れたことを検出する、あるいは画面に近接したことを検出する。このようなことが検出されたとき、制御部は、入力デバイスのアクセスがあったと判断する。
【００１９】
制御部は、ユーザ毎にユーザインターフェースを変更する。同じ入力デバイスの使用であっても、ユーザによって、使い方は異なる。そこで、ユーザ毎のユーザインターフェースが用意される。制御部は、入力デバイスを使用するユーザを認識して、このユーザに応じたユーザインターフェースを表示させる。
【００２０】
制御部は、複数の入力デバイスに対するユーザインターフェースを表示させる。ユーザは、入力デバイスを変えながら、画面に対する入力操作を行う。そこで、複数の入力デバイスに対するユーザインターフェースがそれぞれ表示される。入力デバイスを変更したとき、ユーザインターフェースが表示されるまでの待ち時間がなくなり、ユーザはすぐに入力操作できる。
【００２１】
制御部は、入力デバイスが制限数を超えたとき、入力デバイスに対するユーザインターフェースの表示を規制する。複数の入力デバイスに対するユーザインターフェースを表示すると、画面が埋め尽くされるおそれがある。ユーザインターフェースの表示を制限することにより、このような弊害を防げる。
【発明の効果】
【００２２】
本発明によると、入力デバイスに適したユーザインターフェースが表示されるので、ユーザの入力操作の負担が減り、操作性の向上を図れる。したがって、表示装置における入力操作を効率よく行うことができる。会議やプレゼンテーションに表示装置を用いるとき、操作のために会議等の進行が中断されることをなくせるので、会議等の用途に適した表示システムを実現することができる。
【発明を実施するための最良の形態】
【００２３】
本実施形態の表示システムを図１に示す。表示システムにおいて、会議やプレゼンテーションのために表示装置１が用いられる。表示装置１は、ＬＣＤ等の表示パネルを有する表示部２を備えている。表示部パネルの表面にタッチパネルが設けられ、表示部２は、入力デバイス３による入力可能な画面を有することになる。そして、表示装置１は、入力デバイス３による画面に対する入力を検出する入力部４と、ネットワークを通じて外部機器と通信するネットワークインターフェース部５と、外部機器から入力された画像を記憶する記憶部６と、画像の表示を制御する制御部７とを備える。
【００２４】
入力部４は、赤外線センサ、圧電センサ等の検出センサを有し、タッチパネルにおける入力を検出する。制御部７は、ＣＰＵ、ＲＯＭ、ＲＡＭを有し、入力部４からの検出信号に応じて、入力デバイス３による操作内容を判断して、画像に対する処理を行う。ネットワークインターフェース部５は、ＬＡＮ、インターネットといったネットワークに接続され、サーバ８、パソコン、画像処理装置等の外部機器と通信を行う。
【００２５】
入力デバイス３は、タッチペン、指示棒、マウス等のポインティングデバイスとされる。表示装置１は、入力デバイス３と通信するための通信部９を備え、入力デバイス３も通信部１０を備えている。各通信部９，１０は、無線ＬＡＮ、ブルートゥース（登録商標）、赤外線等による無線通信を行う。なお、マウスやタッチパッドのような入力デバイス３の場合、ＵＳＢ等を用いたケーブルで接続されることがある。この場合、通信部９，１０は、有線通信を行う。
【００２６】
表示装置１は、入力デバイス３と通信することにより、ユーザが使用する入力デバイス３を検出する。すなわち、通信部９が入力デバイスを検出するデバイス検出部として機能する。
【００２７】
表示装置１は、使用される入力デバイス３に応じて専用のユーザインターフェースを表示する。すなわち、制御部７は、通信部９を通じて入力デバイス３からデバイス情報を受け取る。デバイス情報は、入力デバイス３の種類に関する情報を含んでいる。制御部７は、使用する入力デバイス３を識別して、この入力デバイス３に応じたユーザインターフェースを表示するように表示部２を制御する。ユーザインターフェースは、ウィンドウ、メニュ、アイコン、ボタンによって操作の項目を表示するグラフィックである。入力デバイス３の種類によって、必要な項目と不要な項目とがある。入力デバイス３に応じたユーザインターフェースとして、必要な項目のグラフィックが表示される。
【００２８】
記憶部６は、ハードディスク装置あるいは不揮発性のメモリからなり、入力デバイス３毎のユーザインターフェース情報を記憶している。ユーザが入力デバイス３を登録したとき、制御部７は、必要な項目のグラフィックから構成されるユーザインターフェース情報を作成して記憶する。制御部７は、使用する入力デバイス３に関連するユーザインターフェース情報を記憶部６から呼び出し、この情報に基づいてユーザインターフェースを表示させる。
【００２９】
入力デバイス３は、複数の機能を有しており、この機能を切り替える機能選択部１１を備える。タッチペンの場合、ペンの機能と消しゴムの機能とを有し、ユーザが機能選択部１１を操作して、機能を切り替える。機能選択部１１は、通信部１０を通じて表示装置１に機能切り替えを通知する。表示装置１の制御部７は、この通知を受けると、選択された機能に応じて画像を処理する。
【００３０】
ユーザインターフェースを表示するときの動作を図２にしたがって説明する。ユーザが、入力デバイス３を使って画面にアクセスする。入力デバイス３が画面に触れると、入力部４は、この接触を検出して、検出信号を制御部７に出力する。制御部７は、入力デバイス３による入力がなされたと判断し、ユーザインターフェースの表示要求とみなす（Ｓ１）。
【００３１】
制御部７は、入力デバイス３の種類を特定するために通信部９を作動させて、入力デバイス３にデバイス情報を要求する。入力デバイス３は、この要求に応答して、デバイス情報を送信する。
【００３２】
表示装置１の通信部９が入力デバイス３からの情報を受信する（Ｓ２）と、制御部７は、ユーザインターフェース情報を正常に取得できたか確認する（Ｓ３）。制御部７は、正常な受信を確認すると、記憶部６に記憶されているユーザインターフェース情報を参照して、使用する入力デバイス３が登録されている入力デバイス３であるかを確認する（Ｓ４）。登録されている入力デバイス３であるとき、制御部７は、この入力デバイス３に対するユーザインターフェース情報に基づいて、ユーザインターフェースを再構成し（Ｓ５）、ユーザインターフェースを表示するように表示部２を制御する（Ｓ６）。画面に、使用する入力デバイス３に対応したユーザインターフェースが表示される。
【００３３】
入力デバイス３がタッチペンＡの場合、図３に示すように、画面に、ユーザインターフェースＸとして、ペンのアイコン、消しゴムのアイコン、カラーパレットのアイコン等が表示される。また、入力デバイス３が指示棒Ｂの場合、図４に示すように、画面に、ユーザインターフェースＹとして、拡大縮小のアイコン、マーカ、ポインタ等が表示される。
【００３４】
ユーザが入力デバイス３を用いて、ユーザインターフェースの中の項目を指定して操作すると、制御部７は、入力部４からの検出信号に基づいて、指示された処理を認識する。そして、その処理を実行する。ユーザは、必要な操作のためにユーザインターフェースを探し回る必要がなくなり、素早く操作できる。
【００３５】
表示装置１のデバイス情報の要求に対して、入力デバイス３が通信部１０を搭載していない場合、あるいは電波状況、電源不足等の理由によって正常に通信できない場合、表示装置１は、応答を得られない。このとき、制御部７は、入力デバイス３を識別することができないので、デフォルトのユーザインターフェースを表示させる（Ｓ７）。デフォルトのユーザインターフェースとして、例えば各種の入力デバイス３のメニュ一覧が表示される。
【００３６】
また、表示装置１は、入力デバイス３からデバイス情報を受信したとき、制御部７が、アクセスしてきた入力デバイス３は登録されていない入力デバイス３であると判断すると、デフォルトのユーザインターフェースが表示される（Ｓ７）。
【００３７】
制御部７は、入力デバイス３が画面に触れるたびに、あるいは定期的に、入力デバイス３と通信を行い、入力デバイス３を確認する。ユーザが使用する入力デバイス３を変えたとき、制御部７は、入力デバイス３の変更を検出する。そして、前の入力デバイス３に対応するユーザインターフェースの表示を削除して、新しい入力デバイス３に対応するユーザインターフェースを表示させる。
【００３８】
ここで、前に使用した入力デバイス３が再び使用される可能性がある。そこで、制御部７は、複数の入力デバイス３に対して、それぞれのユーザインターフェースを表示する。画面に、複数種類のユーザインターフェースが表示される。
【００３９】
ユーザが入力デバイス３を変えながら入力操作するとき、すでに複数種類のユーザインターフェースが表示されている。ユーザインターフェースが表示されるまでの待ち時間がなくなり、ユーザはすぐに変更後の入力デバイス３による入力操作を行える。
【００４０】
しかし、入力デバイス３の種類が多いと、表示されるユーザインターフェースも多くなり、画面が見にくくなる。これを防ぐために、制御部７は、表示可能な入力デバイス３を制限する。例えば、３つに設定すると、画面には、３つの入力デバイス３に対応して、３種類のユーザインターフェースが表示される。
【００４１】
制限数を超える入力デバイス３が検出されると、制御部７は、ユーザインターフェースの表示を規制する。すなわち、制限数の入力デバイス３に対応するユーザインターフェースだけを表示させる。制御部７は、新しく検出された入力デバイス３に対するユーザインターフェースを表示させ、最も古い入力デバイス３に対するユーザインターフェースの表示を削除する。
【００４２】
このように複数のユーザインターフェースを表示するとき、制御部７が、現在使用中の入力デバイス３に対するユーザインターフェースをアクティブな状態で表示させる。したがって、ユーザは、必要なユーザインターフェースを容易に見分けることができ、入力操作しやすくなる。
【００４３】
さらに、操作性を高めるために、同じ入力デバイス３に対するユーザインターフェースであっても、ユーザ毎にユーザインターフェースを変更するとよい。制御部７は、入力デバイス３を使用するユーザを認識する。認識方法については、指紋等の生体認証、ＩＤおよびパスワードの入力といった公知の方法による。ユーザは予め登録されており、制御部７は、登録されたユーザに応じてカスタマイズされたユーザインターフェースを構成し、このユーザインターフェースを表示させる。制御部７は、ユーザ毎に入力デバイス３の操作履歴を収集し、ユーザの使い方を解析する。これに基づいて、制御部７は、ユーザ特有のユーザインターフェースを構成し、ユーザ毎のユーザインターフェース情報として記憶部６に記憶する。
【００４４】
したがって、ユーザの使用頻度の高い項目が、上位に表示されたり、大きく表示される。ユーザによる入力デバイス３を用いた入力操作がしやすくなり、ユーザの利便性を高めることができる。
【００４５】
今まで使用されたことのない新規な入力デバイス３を使用する場合、制御部７は、新規な入力デバイス３の登録を受け付ける。レーザペンのような新規な入力デバイス３が登録されると、制御部７は、この入力デバイス３に対応するユーザインターフェースを構成し、入力デバイス３の種類とともにユーザインターフェース情報として記憶部６に記憶する。したがって、ユーザが新規な入力デバイス３を使用するとき、これに対応するユーザインターフェースが表示される。
【００４６】
表示システムとして、複数の表示装置１がネットワークに接続されている場合、各表示装置１が入力デバイスに関連するユーザインターフェース情報を管理する代わりに、サーバ８がユーザインターフェース情報を管理する。サーバ８の記憶部は、入力デバイス３毎のユーザインターフェース情報を記憶する。
【００４７】
表示装置１において、ユーザインターフェースを表示するとき、制御部７は、検出した入力デバイス３のデバイス情報をサーバ８に送信する。サーバ８の制御部は、該当する入力デバイス３に対するユーザインターフェース情報を記憶部から読み出し、表示装置１に送信する。表示装置１の制御部７は、ユーザインターフェース情報をサーバ８から取得すると、ユーザインターフェース情報に基づき、要求のあった入力デバイス３に対応するユーザインターフェースを表示させる。
【００４８】
これにより、同じ種類の入力デバイス３に対するユーザインターフェース情報が共有され、どの表示装置１においても、同じユーザインターフェースが表示される。ユーザは、表示装置１に関係なく、同じ入力操作を行うことができる。したがって、ユーザを混乱させることなく、操作の効率化を図ることができ、使いやすい表示システムを構築できる。
【００４９】
なお、本発明は、上記実施形態に限定されるものではなく、本発明の範囲内で上記実施形態に多くの修正および変更を加え得ることは勿論である。表示パネルは、プラズマディスプレイ、有機ＥＬディスプレイを用いたものであってもよい。タッチパネルは、静電容量式、電磁誘導式、電気抵抗式、感圧式等の接触式、非接触式のいずれの方式としてもよい。非接触式の場合、入力デバイスが画面に近接したことを検出できる。また、液晶ディスプレイに光センサが一体的に組み込まれたスキャナ機能付きの表示パネルを用いてもよい。
【００５０】
入力デバイスがＩＣタグを搭載する。ＩＣタグは、デバイス情報を記憶する。表示装置は、ＩＣタグと通信を行うリーダを備える。入力デバイスが画面に近づいたとき、リーダは、ＩＣタグからデバイス情報を読み取る。制御部は、入力デバイスが画面に接触する前に、入力デバイスを識別できる。これによって、ユーザが入力デバイスを画面に近づけたとき、すぐにユーザインターフェースが表示され、ユーザはそのまま入力操作を行える。
【図面の簡単な説明】
【００５１】
【図１】本発明の表示システムの概略構成を示す図
【図２】ユーザインターフェースを表示するときのフローチャート
【図３】入力デバイスに対するユーザインターフェースが表示された画面を示す図
【図４】他の入力デバイスに対するユーザインターフェースが表示された画面を示す図
【符号の説明】
【００５２】
１    表示装置
２    表示部
３    入力デバイス
４    入力部
６    記憶部
７    制御部
８    サーバ
９    通信部
１０    通信部
１１    機能選択部
【図１】
2009193454.tif 000003
【図２】
2009193454.tif 000004
【図３】
2009193454.tif 000005
【図４】
2009193454.tif 000006